(57)【要約】【課題】  １つのチューナでデジタル放送とアナログ放送の両方に対応し、いずれか一方の放送方式の放送波を受信することができる一体型チューナを搭載したデジタル放送受信装置において、電源投入時にラストチャンネルメモリ等によりアナログ放送チャンネルが選局されていても、デジタル放送波から現在時刻情報を取得して正しい時刻を内部時計に設定する。【解決手段】  電源立ち上げ時にアナログ放送の番組を受信していても、電源投入時にデジタル放送チューナが時刻情報を取得して時刻を調整し、この後でアナログ放送を受信するので、電源投入時に必ずデジタル放送受信装置内の時刻情報を正しく保つことができる。【選択図】      図１
2007208701.tif 000002
【特許請求の範囲】
【請求項１】
アナログ放送および時刻情報が含まれたデジタル放送を受信するチューナと、
時刻を計時する時計手段と、
電源投入時にデジタル放送を受信して、前記時刻情報を取得する時刻情報取得手段と、
前記時刻情報を取得した後、前記チューナで受信されたアナログ放送を出力させる制御手段と、
前記時刻情報取得手段により得られた時刻情報を用いて前記時計手段が計時している時刻を修正する時刻修正手段とを備えたことを特徴とするデジタル放送受信装置。
【請求項２】
アナログ放送を受信するアナログチューナと、
時刻情報が含まれたデジタル放送を受信するデジタルチューナと、
前記アナログチューナと前記デジタルチューナに電源を供給する電源手段と、
時刻を計時する時計手段と、
電源投入時にデジタル放送を受信して、前記時刻情報を取得する時刻情報取得手段と、
前記時刻情報を取得した後、前記デジタルチューナの電源を切らせ、前記アナログチューナによって復調された信号を出力させる制御手段と、
前記時刻情報取得手段により得られた時刻情報を用いて前記時計手段が計時している時刻を修正する時刻修正手段とを備えたことを特徴とするデジタル放送受信装置。
【請求項３】
更に、前記電源投入時から前記時刻情報取得手段が前記時刻情報を取得するまでの少なくとも一部の時間に、時刻調整していることを示す信号を出力する手段を備えたことを特徴とする請求項１または２記載のデジタル放送受信装置。
【請求項４】
更に、前記電源投入時から前記制御手段が前記アナログチューナによって復調された信号を出力させる迄の間、チャンネルの切替えを禁止する禁止手段とを備えたことを特徴とする請求項１乃至３のいずれか１項に記載のデジタル放送受信装置。
【請求項５】
電源切断前に視聴していたラストチャンネルメモリを備え、
前記制御手段は、前記ラストチャンネルメモリに記憶されているチャンネルを選局することを特徴とする請求項１乃至４のいずれか１項記載のデジタル放送受信装置。
【請求項６】
更に、放送信号の録画予約を設定する録画予約設定手段と、
受信した信号を設定されたタイマーに応じて記録媒体に記録する記録手段とを備え、
録画予約が設定されているときのみ、前記時刻修正手段は前記時刻調整処理を行うことを特徴とする請求項１または５のいずれか１項記載のデジタル放送受信装置。
【発明の詳細な説明】
【技術分野】
【０００１】
この発明は、デジタル放送受信装置に関し、特に放送波から時刻情報を取得して内部時計の時刻を合わせるデジタル放送受信装置に関する。
【背景技術】
【０００２】
従来のデジタル放送受信装置では、デジタル放送の放送波から時刻情報を取得して内部時計の時刻を合わせることが知られている（例えば、特許文献１や２参照）。
また、デジタル放送受信装置では放送波から電子番組ガイドの情報を取得することが可能であり、電子番組表などを利用した番組予約録画機能を搭載したものもある。
【０００３】
さらに、デジタル放送受信装置では、コストダウンや製品サイズの小型化なども進みつつあり、部品を共通化し１つのチューナでデジタル放送とアナログ放送の両方に対応し、いずれか一方の放送方式の放送波を受信することができる一体型チューナを搭載したものもある。
【０００４】
しかし、デジタル放送受信装置では、例えば電源投入時にアナログ放送を視聴した場合、デジタル放送波から現在時刻情報を取得して正しい時刻を内部時計に設定することができないという問題があった。正しい時刻が内部時計に設定されない場合、例えば番組予約録画機能を搭載したデジタル放送受信装置では、録画予約を失敗するといった問題がある。
【特許文献１】特開２００５−３０３７９９公報
【特許文献２】特開２００３−２７９６７７公報
【発明の開示】
【発明が解決しようとする課題】
【０００５】
このように１つのチューナでデジタル放送とアナログ放送の両方に対応し、いずれか一方の放送方式の放送波を受信することができる一体型チューナを搭載した従来のデジタル放送受信装置では、デジタル放送波から現在時刻情報を取得して正しい時刻を内部時計に設定することができないことがあるという問題があった。
【０００６】
この発明は、１つのチューナでデジタル放送とアナログ放送の両方に対応し、いずれか一方の放送方式の放送波を受信することができる一体型チューナを搭載したデジタル放送受信装置であっても、デジタル放送波から現在時刻情報を取得して正しい時刻を内部時計に設定することができるデジタル放送受信装置を提供することを目的とする。
【課題を解決するための手段】
【０００７】
上記の目的を達成するために、この発明においては、アナログ放送および時刻情報が含まれたデジタル放送を受信するチューナと、時刻を計時する時計手段と、電源投入時にデジタル放送を受信して、前記時刻情報を取得する時刻情報取得手段と、前記時刻情報を取得した後、前記チューナで受信されたアナログ放送を出力させる制御手段と、前記時刻情報取得手段により得られた時刻情報を用いて前記時計手段が計時している時刻を修正する時刻修正手段とを備えたことを特徴とするデジタル放送受信装置を提供する。
【０００８】
また、上記の目的を達成するために、この発明においては、アナログ放送を受信するアナログチューナと、時刻情報が含まれたデジタル放送を受信するデジタルチューナと、前記アナログチューナと前記デジタルチューナに電源を供給する電源手段と、時刻を計時する時計手段と、電源投入時にデジタル放送を受信して、前記時刻情報を取得する時刻情報取得手段と、前記時刻情報を取得した後、前記デジタルチューナの電源を切らせ、前記アナログチューナによって復調された信号を出力させる制御手段と、前記時刻情報取得手段により得られた時刻情報を用いて前記時計手段が計時している時刻を修正する時刻修正手段とを備えたことを特徴とするデジタル放送受信装置を提供する。
【０００９】
なお、装置に係る本発明は方法に係る発明としても成立し、方法に係る本発明は装置に係る発明としても成立する。
【発明の効果】
【００１０】
この発明によれば、デジタル放送波から現在時刻情報を取得して正しい時刻を内部時計に設定することができる。
【発明を実施するための最良の形態】
【００１１】
以下、図面を参照しながら本発明の実施の形態について説明する。
（第１の実施形態）
図１は、本発明の第１の実施形態に係るデジタル放送受信装置の構成を示す図である。図１は、一体型チューナを使用せずにアナログ放送とデジタル放送とで個別のチューナを搭載したデジタル放送受信装置の例である。
【００１２】
図１において、デジタル放送受信装置は、ＲＦ入力部１０１と、分配器１０２と、地上デジタルチューナ１０３と、ＴＳプロセッサ１０４と、ＭＰＥＧデコーダ１０５と、地上アナログチューナ１０６と、セレクタ１０７と、モニタ１０８と、ＣＰＵ１１０と、計時手段１１１と、から構成されている。
【００１３】
ＲＦ入力部１０１は、アンテナから入力されたＲＦ信号を分配器１０２へ出力する。
分配器１０２は、ＲＦ入力端子１０１から入力されたＲＦ信号を地上デジタルチューナ１０３と地上アナログチューナ１０６とに分配する。
地上デジタルチューナ１０３は、地上デジタル放送を復調してＴＳ（Transport Stream）を得、このＴＳをＴＳプロセッサ１０４へ出力する。
ＴＳプロセッサ１０４は、選局された番組に関するパケットをＴＳから抽出してＭＰＥＧデコーダ１０５へ出力する。
ＭＰＥＧデコーダ１０５は、選局された番組に関するパケットをＭＰＥＧデコードし、このデコードされた映像・音声信号をセレクタ１０７へ出力する。また、ＭＰＥＧデコーダ１０５は、地上デジタル放送受信時にのみ図示しない電源供給手段により電源が供給される。
【００１４】
一方、地上アナログ放送を受信する地上アナログチューナ１０６は、選局された番組を復調し、この復調された映像・音声信号をセレクタ１０７へ出力する。また、地上アナログチューナ１０６は、地上アナログ放送受信時にのみ図示しない電源供給手段により電源が供給される。
【００１５】
セレクタ１０７は、デジタル放送視聴時にはＭＰＥＧデコーダ１０５からの映像・音声信号を選択し、アナログ放送受信時には地上アナログチューナ１０６からの映像・音声信号を選択してモニタ１０８へ出力する。
【００１６】
ＣＰＵ１１０は、選局している番組が地上デジタル放送の番組でも、また地上アナログ放送の番組であっても、ＣＰＵ１１０には地上デジタル放送から現在の時刻情報を取得する。
【００１７】
（デジタル放送受信時）
図２（ａ）は、デジタル放送受信装置におけるデジタル放送受信時の信号の流れを示す図である。
図２（ａ）に示すとおり、デジタル放送受信時、ＣＰＵ１１０は、ＴＳプロセッサ１０４から放送波により送られた現在の時刻情報を取得し、計時手段１１１の時刻を時刻調整する（時刻を合わせる）。
【００１８】
また、デジタル放送受信時、地上アナログチューナ１０６は、電源が供給されないので復調した信号を出力しない。図２（ａ）において破線部は信号が流れないことを示している。
【００１９】
（アナログ放送受信時）
図２（ｂ）は、デジタル放送受信装置におけるアナログ放送受信時の信号の流れを示す図である。
図２（ｂ）に示すとおり、アナログ放送受信時、裏では地上デジタルチューナ１０３およびＴＳプロセッサ１０４には電源が供給されており、ＣＰＵ１１０は、ＴＳプロセッサ１０４から放送波により送られた現在の時刻情報を取得し、計時手段１１１の時刻を時刻調整する。
【００２０】
また、アナログ放送受信時、ＭＰＥＧデコーダ１０５は、電源がオフするのでＭＰＥＧデコーダ１０５からはデコードされた信号は出力されない。図２（ｂ）において破線部は信号が流れないことを示している。
【００２１】
（動作）
このデジタル放送受信装置の電源投入時における時刻取り込み処理の動作を図３のフローチャートを用いて説明する。なお、この動作はＣＰＵ１１０により制御が行われる。
【００２２】
ステップＳ３０１：デジタル放送受信装置の電源が投入される。
ステップＳ３０２：デフォルトやラストチャンネル機能により電源投入当初選局すべきチャンネルが受信される。選局すべきチャンネルがアナログ放送のチャンネルの場合にはステップＳ３０３へ進み、デジタル放送のチャンネルの場合にはステップＳ３０７へ進む。
【００２３】
ステップＳ３０３：地上アナログチューナ１０６をＯＮにし、ステップＳ３０４へ進む。
ステップＳ３０４：地上デジタルチューナ１０３をＯＮにし、ステップＳ３０５へ進む。
ステップＳ３０５：地上デジタルチューナ１０３により時刻情報が取り込まれたら、時計手段１１１の時刻を調整し、ステップＳ３０６へ進む。
ステップＳ３０６：電源供給手段に対して地上デジタルチューナ１０３への電源供給をＯＦＦさせ、デジタル放送受信装置の電源投入時における時刻取り込み処理を終了する。
【００２４】
ステップＳ３０７：地上アナログチューナ１０６をＯＦＦにし、ステップＳ３０８へ進む。
ステップＳ３０８：地上デジタルチューナ１０３をＯＮにし、ステップＳ３０９へ進む。
ステップＳ３０９：地上デジタルチューナ１０３により時刻情報が取り込まれたら、時計手段１１１の時刻を調整し、デジタル放送受信装置の電源投入時における時刻取り込み処理を終了する。
【００２５】
なお、時計手段１１１はバッテリーバックアップ付きであってもなくてもかまわない。バッテリーバックアップ付き時計手段１１１の場合には、より正しい時刻を調整することができ、バッテリーバックアップ付きでない時計手段の場合には、時刻を新たに設定することができるからである。
【００２６】
このように構成されたデジタル放送受信装置においては、電源立ち上げ時にアナログ放送の番組を受信するようになっていても、電源立ち上げ時に一旦デジタル放送チューナが時刻情報を取得して時刻を調整した後でアナログ放送を受信するので、電源投入時に必ずデジタル放送受信装置内の時刻情報を正しく保つことができる。
【００２７】
以上説明した通り、この発明によればデジタル放送受信装置内の時刻情報を正しく保つことができる。
（第２の実施形態）
図４は、本発明の第２の実施形態に係るデジタル放送受信装置の構成を示す図である。図４は、アナログ放送チューナとデジタル放送チューナとを一体化した一体型チューナを使用し、１つのチューナを搭載した放送受信装置の例である。図１と同じものについては同一番号を付している。
【００２８】
図４において、デジタル放送受信装置は、ＲＦ入力部１０１と、地上デジタル／アナログチューナ４０１と、ＴＳプロセッサ１０４と、ＭＰＥＧデコーダ１０５と、地上アナログチューナ１０６と、セレクタ１０７と、モニタ１０８と、ＣＰＵ１１０と、計時手段１１１と、から構成されている。
【００２９】
地上デジタル／アナログチューナ４０１は、アナログ放送チューナとデジタル放送チューナとを一体化した一体型チューナである。
（デジタル放送受信時）
図５（ａ）は、デジタル放送受信装置におけるデジタル放送受信時の信号の流れを示す図である。
図５（ａ）に示すとおり、デジタル放送受信時、ＣＰＵ１１０は、ＴＳプロセッサ１０４から放送波により送られた現在の時刻情報を取得し、計時手段１１１の時刻を時刻調整する（時刻を合わせる）。
【００３０】
また、デジタル放送受信時、地上デジタル／アナログチューナ４０１は、アナログ放送を復調した信号をセレクタ１０７へ出力しない。図５（ａ）において破線部は信号が流れないことを示している。
【００３１】
（アナログ放送受信時）
図５（ｂ）は、デジタル放送受信装置におけるアナログ放送受信時の信号の流れを示す図である。
図５（ｂ）に示すとおり、アナログ放送受信時、ＣＰＵ１１０は、ＴＳプロセッサ１０４から放送波により送られた現在の時刻情報を取得し、計時手段１１１の時刻を時刻調整する。
【００３２】
時刻を調整できた後、地上デジタル／アナログチューナ４０１は、アナログ放送を復調した信号をセレクタ１０７へ出力する。
（動作）
このデジタル放送受信装置の電源投入時における時刻取り込み処理の動作を図６のフローチャートを用いて説明する。なお、この動作はＣＰＵ１１０により制御が行われる。
【００３３】
ステップＳ６０１：デジタル放送受信装置の電源が投入される。
ステップＳ６０２：デフォルトやラストチャンネル機能により電源投入当初選局すべきチャンネルが受信される。選局すべきチャンネルがアナログ放送のチャンネルの場合にはステップＳ６０３へ進み、デジタル放送のチャンネルの場合にはステップＳ６０８へ進む。
【００３４】
ステップＳ６０３：時刻情報を取得中である旨を、例えばＯＳＤ機能を用いてモニタ１０８に表示開始させる。
ステップＳ６０４：地上デジタルチューナ１０３を動作させ、ステップＳ６０５へ進む。
ステップＳ６０５：地上デジタルチューナ１０３により時刻情報が取り込まれたら、時計手段１１１の時刻を調整し、ステップＳ６０６へ進む。
ステップＳ６０６：時刻情報を取得中である旨を、例えばＯＳＤ機能を用いてモニタ１０８に表示終了させ、ステップＳ６０７へ進む。
ステップＳ６０７：地上アナログチューナ１０６を動作させ、デジタル放送受信装置の電源投入時における時刻取り込み処理を終了する。
ステップＳ６０８：地上デジタルチューナ１０３を動作させ、ステップＳ６０９へ進む。
ステップＳ６０９：地上デジタルチューナ１０３により時刻情報が取り込まれたら、時計手段１１１の時刻を調整し、デジタル放送受信装置の電源投入時における時刻取り込み処理を終了する。
【００３５】
なお、時計手段１１１はバッテリーバックアップ付きであってもなくてもかまわない。バッテリーバックアップ付き時計手段１１１の場合には、より正しい時刻を調整することができ、バッテリーバックアップ付きでない時計手段の場合には、時刻を新たに設定することができるからである。
【００３６】
このように構成されたデジタル放送受信装置においては、電源立ち上げ時にアナログ放送の番組を受信するようになっていても、電源立ち上げ時に一旦デジタル放送チューナが時刻情報を取得して時刻を調整した後でアナログ放送を受信するので、電源投入時に必ずデジタル放送受信装置内の時刻情報を正しく保つことができる。
【００３７】
以上説明した通り、この発明によればデジタル放送受信装置内の時刻情報を正しく保つことができる。
（表示画面の例）
図７は、一体型チューナを搭載した放送受信装置における、本発明にあるような時刻情報の取得処理にかかわる動作時の表示画面の例である。
１．バッテリーバックアップ付きの時計装置を搭載していないため、電源が切断されている状態では放送受信装置内部には有効な現在時刻情報は存在していない。
２．番組蓄積機能を有しており、７時１０分からの地上デジタル放送の録画予約が設定されている。
３．前回電源切断前に選局していたラストチャンネルメモリは地上アナログ放送のチャンネルとなっており不揮発メモリーに情報が保存されている。
図７（ａ）は、本発明にある電源投入時の時刻情報の取得処理を行った場合の一例の動作を、表示画面で説明した図である。
デジタル放送受信装置の電源が投入されると、時刻情報の取得のために、一時的に地上デジタル放送受信している。
このとき画面には、本来のラストチャンネルではない地上デジタル放送である野球放送が提示されており、この画面の上に時刻取得中である旨を説明するメッセージをＯＳＤにて表示している。可能であれば本来のラストチャンネルではなく、時刻調整後にラストチャンネルである例えば第１チャンネルに自動的に切替え表示する旨をＯＳＤ表示する。また、地上デジタル放送から時刻情報を取得できるまでの期間に選局操作などが行われた場合、ＯＳＤでのメッセージ表示を行い操作が制限される。
【００３８】
そして地上デジタル放送から現在時刻が取得された後、選局状態を本来のラストチャンネルである地上アナログ放送に切り替えて画面に映像・音声を提示する。取得した現在時刻はＣＰＵのクロックで自走的にカウントが継続され、予約を実行すべき７：１０になれば録画予約が実行される。
【００３９】
図７（ｂ）は、本発明にある電源投入時の時刻情報の取得処理を行った場合の一例の動作を、表示画面で説明した図である。
図７（ａ）は、デジタル放送を提示したが、図７（ｂ）は、ラストチャンネルである地上アナログ放送を提示することができないため、映像・音声の提示を行わず、代わりに状況を説明するメッセージをＯＳＤにて表示している。他は図７（ａ）と同じである。
【００４０】
これにより、本当のラストチャンネルが最初にモニタ１０８に表示されるようにすることができる。
図７（ｃ）は、本発明にある電源ＯＮ時の時刻情報の取得処理を自動では行わず、ユーザの選局操作により時刻を合わせる場合の動作例である。
電源オン操作でそのままラストチャンネルの地上アナログ放送を選局して画面に提示しているが、画面上に時刻情報が取得できない旨のメッセージを表示している。このメッセージにより、ユーザが地上デジタル放送を操作により選局すれば、現在時刻情報が取得される。取得した現在時刻はＣＰＵのクロックで自走的にカウントが継続され、時刻取得後、ユーザが地上アナログ放送に切り替えて視聴を行っていても予約を実行すべき７：１０になれば、録画予約が実行される。
【００４１】
図７（ｄ）は、図７（ａ）〜（ｃ）の例と比べて、ラストチャンネルが地上デジタル放送の場合である点が異なり、その場合の動作例である。
電源オン操作でそのままラストチャンネルの地上デジタル放送を選局して画面に提示する動作となっている。
この場合、地上デジタル放送から現在時刻情報が取得できるので、電源オン操作だけではＯＳＤでのメッセージ表示は行われない。但し、地上デジタル放送から時刻情報を取得できるまでの期間は、地上アナログ放送への選局操作が行われた場合、ＯＳＤでのメッセージ表示を行い操作が制限される。現在時刻が取得可能なので、予約を実行すべき７：１０になれば、録画予約が実行される。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４３】
例えば、デジタル放送の予約が設定されているときのみ時刻情報取得処理を行うようにしてもよい。
例えば、電源投入により、アナログ放送を画面に提示する場合にのみ時刻情報の取得を行うようにしてもよい。
【図面の簡単な説明】
【００４４】
【図１】本発明のデジタル放送受信装置の構成を説明するためのブロック図。
【図２】地上アナログ放送と地上アナログ放送をそれぞれ個別にチューナを搭載した放送受信装置における地上デジタル放送を視聴する場合の信号の流れを示した図である。
【図３】デジタル放送受信装置の電源投入時における時刻取り込み処理の動作を説明するためのフローチャート。
【図４】本発明のデジタル放送受信装置の構成を説明するためのブロック図。
【図５】地上アナログ放送と地上アナログ放送を一体化したチューナを搭載した放送受信装置における地上デジタル放送を視聴する場合の信号の流れを示した図である。
【図６】デジタル放送受信装置の電源投入時における時刻取り込み処理の動作を説明するためのフローチャート。
【図７】表示される画面の例を示す図。
【符号の説明】
【００４５】
１０１…ＲＦ入力部、１０２…分配器、１０３…地上デジタルチューナ、１０４…ＴＳプロセッサ、１０５…ＭＰＥＧデコーダ、１０６…地上アナログチューナ、１０７…セレクタ、１０８…モニタ、１１０…ＣＰＵ、１１１…計時手段、４０１…地上デジタル／アナログチューナ。
【図１】
2007208701.tif 000003
【図２】
2007208701.tif 000004
【図３】
2007208701.tif 000005
【図４】
2007208701.tif 000006
【図５】
2007208701.tif 000007
【図６】
2007208701.tif 000008
【図７】
2007208701.tif 000009